(57)【要約】【課題】収納性が高く、より使い勝手に優れた斬新な収納棚を提供する。【解決手段】可動棚が、固定棚１の手前に設けられ、横方向にスライド可能である。取付部８ｃ，８ｄは、側板５の右側面において、鉛直上方に向かって延びるように設置され、取付対象を取り付ける高さを調整することが可能である。取付部９ｃ，９ｄは、固定棚１の右側の側壁において、鉛直上方に向かって延びるように設置され、取付対象を取り付ける高さを調整することが可能である。取付対象が着脱自在な棚板６の場合、取付部８ｃ，８ｄと、取付部９ｃ，９ｄとは連係して、棚板６を四点で支持する。これに対して、取付対象が着脱自在な横棒７の場合、取付部８ｃと、取付部９ｃとは連係して、横棒７を二点で支持する。【選択図】図２
0003117713.tif 000002
【実用新案登録請求の範囲】
【請求項１】
収納棚において、
収納部内の手前に設けられ、横方向にスライド可能な可動棚と、
前記可動棚よりも奥に位置する収納部内の一方の側壁において、鉛直上方に向かって延びるように設置され、取付対象を取り付ける高さを調整することが可能な複数の第１の取付部と、
前記可動棚よりも奥に位置する収納部内の他方の側壁において、鉛直上方に向かって延びるように設置され、前記取付対象を取り付ける高さを調整することが可能な複数の第２の取付部とを有し、
前記取付対象が着脱自在な棚板の場合、前記複数の第１の取付部と、前記複数の第２の取付部とが連係して、前記棚板を少なくとも四点で支持し、
前記取付対象が着脱自在な横棒の場合、前記第１の取付部と、前記第２の取付部とが連係して、前記横棒を少なくとも二点で支持することを特徴とする収納棚。
【請求項２】
前記可動棚は、吊り下げ式であることを特徴とする請求項１に記載された収納棚。
【請求項３】
前記収納部内の手前における一方の側壁において、鉛直上方に向かって延びるように設置され、前記取付対象を取り付ける高さを調整することが可能な第３の取付部をさらに有し、
前記取付対象が着脱自在な横棒の場合、前記第１の取付部と、前記第３の取付部とが連係して、前記横棒を少なくとも二点で支持することを特徴とする請求項１または２に記載された収納棚。
【考案の詳細な説明】
【技術分野】
【０００１】
本発明は、収納棚に関する。
【背景技術】
【０００２】
近年、人々の価値観が多様化するのにともない、住居に快適さやゆとりを求める人々が益々増えている。しかしながら、敷地面積や予算といった様々な制約から、居住空間を十分に確保するのが困難なケースも多い。そこで、限られた居住空間で快適な暮らしを実現するためには、使い勝手を阻害することなく、物の収納性を高めるための工夫が重要となる。
【０００３】
例えば、特許文献１には、奥に位置する固定棚と、手前に設けられ、横方向にスライド可能な可動棚とのなす間隙の大きさを調節可能な収納棚が開示されている。ユーザは、奥の固定棚に、所定の大きさ以上の書籍やレコード盤を収納したい場合に、可動棚を前寄りに調節する。
【特許文献１】登録実用新案第３０１９７３６号公報
【考案の開示】
【考案が解決しようとする課題】
【０００４】
しかしながら、従来の技術では、固定棚は、複数の棚板によって構成されており、収納できる物が、棚板の上に載せやすいものに限られている。この収納棚が多様なユーザの収納ニーズに対応しているとはいえない。
【０００５】
本考案の目的は、収納性が高く、より使い勝手に優れた斬新な収納棚を提供することである。
【課題を解決するための手段】
【０００６】
かかる課題を解決するために、本考案は、可動棚と、複数の第１の取付部と、複数の第２の取付部とを有する収納棚を提供する。可動棚は、収納部内の手前に設けられ、横方向にスライド可能である。第１の取付部は、可動棚よりも奥に位置する収納部内の一方の側壁において、鉛直上方に向かって延びるように設置され、取付対象を取り付ける高さを調整することが可能である。第２の取付部は、可動棚よりも奥に位置する収納部内の他方の側壁において、鉛直上方に向かって延びるように設置され、上記取付対象を取り付ける高さを調整することが可能である。取付対象が着脱自在な棚板の場合、複数の第１の取付部と、複数の第２の取付部とが連係して、棚板を少なくとも四点で支持する。これに対して、取付対象が着脱自在な横棒の場合、第１の取付部と、第２の取付部とが連係して、横棒を少なくとも二点で支持する。
【０００７】
本考案において、可動棚は、吊り下げ式であることが望ましい。
【０００８】
また、本考案において、収納部内の手前における一方の側壁で、鉛直上方に向かって延びるように設置され、取付対象を取り付ける高さを調整することが可能な第３の取付部をさらに設けてもよい。ここで、取付対象が着脱自在な横棒の場合、第１の取付部と、第３の取付部とが連係して、横棒を少なくとも二点で支持する。
【考案の効果】
【０００９】
本発明によれば、可動棚の奥に位置する２つの側壁間で、取付高さを調整可能な第１および第２の取付部によって、棚板と、横棒とが、異なる支持手法で取り付けられる。すなわち、棚板は、複数の第１の取付部と、複数の第２の取付部との連係によって、少なくとも四点で支持される。また、横棒は、第１の取付部と、第２の取付部との連係によって、少なくとも二点で支持される。これにより、収納ニーズに応じて、棚板と横棒とを選択的に取り付けることが可能となり、収納性を損なうことなく、より使い勝手に優れた収納棚を実現できる。
【考案を実施するための最良の形態】
【００１０】
図１は、本実施形態にかかる収納棚の構成図である。同図（ａ）は、本収納棚の前面を示しており、同図（ｂ）は、本収納棚の右側面を示している。この収納棚は、例えば玄関に設置され、収納部として、奥に位置する固定棚１と、手前に設けられ、横方向にスライド可能な可動棚２とを主体に構成されている。可動棚２には、ローラ３ａ，３ｂが設けられており、また、可動棚２の上部の天井面上には、このローラ３ａ，３ｂをガイドするレール４が設けられている。可動棚２は、ローラ３ａ，３ｂにより吊り下げられた状態で、レール４に平行に移動可能である。ここでは、収納棚の内側の上面が天井に一致し、内側の左右および奥の側面が壁面に一致して、収納棚が移動可能でないことを想定するが、収納棚外面を木材、金属等適宜の材料で構成して、収納棚全体を移動可能なものとしてもよい。
【００１１】
図２は、固定棚１の前面図である。固定棚１には、収納部（収納空間）を左右に区切る側板５が設けられている。側板５は、固定棚１中央の側壁となり、この側板５と、固定棚１の左右の側壁との間で、着脱可能な棚板６および横棒７が支持される。すなわち、これらの取付対象の支持のために、側板５の左側面には、取付部８ａ，８ｂが設けられており、固定棚１の左側の側壁上に、取付部９ａ，９ｂが設けられている。取付部８ａ，８ｂ，９ａ，９ｂは、鉛直上方に向かって延びるように設置されるが、添え字ａは手前に位置することを示し、添え字ｂは奥に位置することを示す。また、同様に、側板５の右側面には、取付部８ｃ，８ｄが設けられており、固定棚１の右側の側壁上に、取付部９ｃ，９ｄが設けられている。添え字ｃは手前に位置することを示し、添え字ｄは奥に位置することを示す。
【００１２】
図３は、固定棚１の要部斜視図である。側板５の右側面上の取付部８ｃ，８ｄは、取付対象を取り付ける高さを任意に調整することが可能な取付構造を有する。具体的には、取付部８ｃ，８ｄのそれぞれには、多数の小穴が高さ方向に一列に並んで形成されている。同様の取り付け部９ｃ，９ｄが、固定棚１の右側の側壁上の、取付部８ｃ，８ｄに向き合う位置に設けられている。取付部８ｃ，８ｄおよび取付部９ｃ，９ｄが一組となって、取付対象を支持する。また、本収納棚の左側に位置する取付部８ａ，８ｂおよび取付部９ａ，９ｂは、右側に位置する取付部８ｃ，８ｄおよび取付部９ｃ，９ｄと同様に、一組となって、取付対象を支持する。例えば、棚板６には、履物やボールなどの小物を置くことができる。また、横棒７には、Ｓ字状のフックまたはハンガーなどを吊り下げ、小物類や衣類をかけることができる。この横棒７をストッパーとして用いることによって、固定棚１に傘、杖、スキー板など長尺状の物を立て掛けておくこともできる。
【００１３】
ユーザは、棚板６を取り付ける場合、例えば、側板５上の取付部８ｃ，８ｄと、右側壁上の取付部９ｃ，９ｄとの、棚板６を設置したい高さに対応する小穴に、ピン状の取付具を装着する。そして、これらの取付具上に棚板６を載せる。棚板６は、取付部８ｃ，８ｄと、取付部９ｃ，９ｄとの連係によって、四点で支持される。また、ユーザは、横棒７を取り付ける場合、例えば、側板５上の取付部８ｄと、右側壁上の取付部９ｄとの、横棒７を設置したい高さに対応する小穴に、中空半円柱状の取付具（横棒７の受け具）を装着した上で、これらの取付具上に横棒７を載せる。横棒７は、取付部８ｄと、取付部９ｄとの連係によって、二点で支持される。
【００１４】
ここでは、１つの側壁に対して、取付部を２本設けているが、３本以上としてもよいことは言うまでもない。また、棚板６は四点で支持されるが、五点以上で支持することもできる。横棒７についても三点以上で支持することができる。つまり、棚板６は、少なくとも四点で支持され、横棒７は、少なくとも二点で支持される。
【００１５】
図４は、可動棚２の前面図である。可動棚２には、固定的または可動的に設けられる棚板、および、固定的に設けられる横棒が適宜配置されている。ローラ３ａは、手前に２つの車輪を有し、奥に１つの車輪を有する。また、ローラ３ｂは、手前に１つの車輪を有し、奥に２つの車輪を有する。この吊り下げ式の可動棚２について、ここでは、１本のレール４と、２つのローラ３ａ，３ｂとを用いているが、当然ながら、可動棚２の耐用荷重に応じて、レールの本数およびローラの個数を適宜設定することが可能である。特に、ローラを用いた吊り下げ式を採用することによって、可動棚２の移動に伴い生じる摩擦部分を減らし、磨耗による粉塵の発生を防ぐことが可能である。可動棚２の下面にキャスターを設けることも可能である。このキャスターによって、可動棚２の移動がより容易になり、また、可動棚２の耐用荷重がより大きくなる。
【００１６】
このように、本実施形態によれば、可動棚２の奥に位置する固定棚１において、取付部８ａ〜８ｄおよび取付部９ａ〜９ｄが選択的に用いられて、棚板６または横棒７が、形状に応じた異なる支持手法で取り付けられる。例えば、取付部８ａ，８ｂ，９ａ，９ｂの連係によって、棚板６が支持され、また、取付部８ｂ，９ｂの連係によって、横棒７が支持されるといった如くである。これにより、ユーザは、収納ニーズに応じて、棚板６と横棒７とを選択的に取り付けることが可能となり、収納性を損なうことなく、より使い勝手に優れた収納棚を実現することができる。特に、同一構造の複数の取付部が選択的に用いられるため、収納棚の製造コストを抑えつつ、ユーザの使い勝手を向上させることが可能である。
【００１７】
なお、上述した実施形態では、棚板６や横棒７を取り付ける取付部が、板状の側板５または固定棚１の左右の側壁上に設けられる例について説明したが、本考案はこれに限定されるものではなく、取付部を柱状の棚柱に設けてもよい。
【００１８】
また、収納棚の側壁には、固定棚１に対応する位置に、取付部９ａ〜９ｄのみを設けた。図５は、取付部９ａ，９ｄに加えて、取付部１０を有する固定棚１の左側壁を示す図である。同図に示すように、固定棚１の左側壁の手前側に、取付部９ａ，９ｂと同様の取付構造を有する取付部１０を設ける。着脱自在な横棒が取り付けられる場合、取付部１０と、例えば取付部９ｂとは連係して、奥行き方向（同図の左右方向）に延びる横棒１１を二点で支持する。この横棒１１には、直接またはＳ字状フックなどを用いて小物類を吊り下げることができ、これによって、固定棚１の側壁近傍のデッドスペースを有効利用することが可能である。
【図面の簡単な説明】
【００１９】
【図１】収納棚の構成図
【図２】固定棚の前面図
【図３】固定棚の要部斜視図
【図４】可動棚の前面図
【図５】別の取付部を有する固定棚の側壁を示す図
【符号の説明】
【００２０】
１  固定棚
２  可動棚
３ａ，３ｂ  ローラ
４  レール
５  側板
６  棚板
７，１１  横棒
８ａ〜８ｄ，９ａ〜９ｄ，１０  取付部
【図１】
0003117713.tif 000003
【図２】
0003117713.tif 000004
【図３】
0003117713.tif 000005
【図４】
0003117713.tif 000006
【図５】
0003117713.tif 000007